(57)【要約】    【課題】釣用リールの脚部がリールシート部に強固に固定され得る釣竿の提供。    【解決手段】この釣竿１０は、リールシート部２１を備えている。リールシート部２１は、釣用リールの脚部を挟持する可動フード４２を備えている。可動フード４２は、操作ナット４９が操作されることによってスライドされる。可動フード４２は、ケーシング２２に設けられたフード収容部５９内に配置される。可動フード４２の外周面は、フード収容部５９の内壁面に沿って当接する。可動フード４２は、スライドされた場合であっても常時フード収容部５９によって囲繞保持され、上方に変位することが規制される。フード収容部５９は、外部から可動フード４２の位置を確認するためのスリットが設けられていてもよい。【選択図】図３
2005210921.tif 000002
【特許請求の範囲】
【請求項１】
釣用リールの脚部が載置される載置部と、
載置部の一方側に設けられ、上記脚部の一方を収容保持する固定フードと、
載置部の他方側に固定フードと対向配置され、固定フードに対して近接／離反する方向に沿ってスライドされる可動フードと、
可動フードのスライドを案内するスライド案内機構とを有するリールシート部が設けられ、
スライド案内機構は、
上記可動フードを囲繞し且つ上記近接／離反する方向に延びる内壁面を有し、スライドする上記可動フードを常時囲繞保持することによって当該可動フードの載置部から離反する方向への変位を規制しつつ上記近接／離反する方向へのスライドを案内するフード収容部を備えている釣竿。
【請求項２】
上記フード収容部は、外部から上記可動フードの位置が確認される確認窓部を備えている請求項１に記載の釣竿。
【発明の詳細な説明】
【技術分野】
【０００１】
本発明は、釣竿の構造、より詳しくは釣竿のリールシート部の構造に関するものである。
【背景技術】
【０００２】
図８は、ルアー用の釣竿（典型的にはいわゆるバスロッド等）の構造が模式的に示された図である。同図が示すように、一般にルアー用の釣竿１は、釣竿本体２と、これを支持するグリップ３とを備えており、このグリップ３には、釣用リールＲが装着されるリールシート部４が設けられている。このリールシート部４は、固定フード５ａ及び可動フード５ｂを備えており、これら一対のフード５ａ、５ｂにより釣用リールＲの脚部６が挟持される。これにより、釣用リールＲは、グリップ３に固定される（例えば、特許文献１参照）。
【０００３】
グリップ３には、可動フード５ｂが収容される収容室７が設けられており、この収容室７に可動フード５ｂが挿入されている。また、グリップ３には、可動フード５ｂを操作する操作リング８が設けられている。操作リング８はグリップ３に取り付けられており、グリップ３の軸方向を回転中心として回転自在となっている。操作リング８の内周面には、雌ねじ８ａが形成されている。また、可動フード５ｂには雄ねじ９が形成されており、これら雄ねじ９及び雌ねじ８ａが螺合されている。したがって、操作リング８が回転されることにより、可動フード５ｂは図中左右方向にスライドされ、これにより、釣用リールＲの脚部６が挟持される。
【０００４】
【特許文献１】特開２００３−２７４８１２号
【発明の開示】
【発明が解決しようとする課題】
【０００５】
従来の釣竿１では、釣用リールＲの脚部６は、上記一対のフード５ａ、５ｂによって挟持されるのであるが、脚部６が挟持された状態では、可動フード５ｂが上記収容室７から突出する。したがって、可動フード５ｂは上方に浮き上がってしまう傾向にあり、そのため、釣用リールＲのより確実な固定が実現されにくいという問題があった。
【０００６】
そこで、本発明の目的は、釣用リールの脚部がリールシート部に強固に固定され得る釣竿を提供することである。
【課題を解決するための手段】
【０００７】
(1) 上記目的が達成されるため、本発明に係る釣竿は、釣用リールの脚部が載置される載置部と、載置部の一方側に設けられ、上記脚部の一方を収容保持する固定フードと、載置部の他方側に固定フードと対向配置され、固定フードに対して近接／離反する方向に沿ってスライドされる可動フードと、可動フードのスライドを案内するスライド案内機構とを有するリールシート部が設けられ、スライド案内機構は、上記可動フードを囲繞し且つ上記近接／離反する方向に延びる内壁面を有し、スライドする上記可動フードを常時囲繞保持することによって当該可動フードの載置部から離反する方向への変位を規制しつつ上記近接／離反する方向へのスライドを案内するフード収容部を備えていることを特徴とするものである。
【０００８】
この構成によれば、釣用リールは、一方の脚部が固定フードに収容保持された状態で載置部に載置された後、可動フードが固定フード側にスライドされることによって、他方の脚部が可動フードに収容保持される。このとき、可動フードは、スライド案内機構によって案内されながら、固定フード側にスライドする。これにより、釣用リールの両方の脚部が固定フード及び可動フードによって挟持固定される。
【０００９】
可動フードは、フード収容部内に収容されながら固定フードに対してスライドするので、載置部から離反する方向への可動フードの変位は、フード収容部によって確実に規制される。したがって、釣用リールの両方の脚部は、載置部から離反することなく確実に強固に固定される。上記フード収容部は、例えばリールシートを構成するケーシングの一部によって構成されることも可能である。
【００１０】
(2) 上記フード収容部は、外部から上記可動フードの位置が確認される確認窓部を備えているのが好ましい。
【００１１】
可動フードがフード収容部に常時収容されているので、釣人はスライドする可動フードの位置を直接確認することが容易でない。しかし、確認窓部が設けられることによって、釣人は、フード収容部内の可動フードの位置を容易に確認することができ、これにより、釣用リールの着脱作業を簡単且つ迅速に行うことができる。
【発明の効果】
【００１２】
以上のように本発明によれば、リールシートに設けられたスライド案内部によって、釣用リールの脚部を収容保持する可動フードがリールシートから浮き上がる方向に変位することはないので、載置部に載置された釣用リールは、確実に且つ強固にリールシートに装着される。したがって、大型の魚をターゲットとする釣りや、ハードなキャスティングが繰り返される釣りにおいても、釣用リールは常にリールシートに確実に固定される。
【発明を実施するための最良の形態】
【００１３】
以下、適宜図面が参照されつつ、好ましい実施形態に基づいて本発明が詳細に説明される。
【００１４】
図１は、本発明の一実施形態に係る釣竿の正面図である。
この釣竿１０は、ルアー用ワンピースタイプのものであって、釣竿本体１１と、その後端部を支持するグリップ１２とを備えている。グリップ１２には、後に詳述されるリールシート部２１が設けられている。リールシート部２１は、釣用リールの脚部を挟持し、当該釣用リールをグリップ１２に固定するものである。なお、本実施形態では、釣竿１０がルアー用ワンピースタイプとして構成されているが、本発明は、かかる仕様の釣竿に限定して適用されるものではなく、リールシート部が設けられた釣竿に広く適用され得るものである。
【００１５】
釣竿本体１１は、単一の棒状部材からなり、グリップ１２の内部に前方から後方に向かって挿通されている。本実施形態では、釣竿本体１１は単一の部材からなるが、これに限定されるものではなく、複数の部材が接続されることによって釣竿本体１１が構成されるものであってもよい。釣竿本体１１は、既知の要領で、例えば、カーボン繊維強化樹脂（プリプレグ）が所定形状に裁断され、これが筒状に巻回されることによって、円筒状の部材として構成される。また、同図が示すように、釣竿本体１１には、複数の釣糸ガイド１３〜２０が所定間隔で配置されている。これら釣糸ガイド１３〜２０は、上記リールシート部２１が設けられた側に配置されており、したがって、釣竿１０は、ベイトリールが装着されるタイプである。
【００１６】
本実施形態に係る釣竿１０の特徴とするところは、グリップ１２の構造、特にリールシート部２１の構造にある。具体的には、後に詳述されるが、リールシート部２１は、釣用リールの脚部を挟持する固定フード４０（図２参照）と、これに近接し離反するようにスライドする可動フード４２（図３参照）とを備えており、この可動フード４２がスライド案内機構５８によって案内されながらスライドするように構成されており、これにより、釣用リールは、リールシート部２１に確実に強固に固定されるようになっている。
【００１７】
図２は、釣竿１０の拡大斜視図であり、グリップ１２の外観が図示されている。図３は、釣竿１０の要部拡大断面図であり、グリップ１２の内部構造が図示されている。
グリップ１２は、前述のようにリールシート部２１が一体的に設けられており、リールシート部２１の後方に肘当部２４が設けられている。この肘当部２４は、円柱状に形成されており、その周面は弾性部材からなるのが好ましい。肘当部２４は、釣人が釣竿１０を操作する際に釣人の肘に当接されるものであり、釣人は安定した釣竿１０の操作が可能となる。
【００１８】
リールシート部２１は、その骨格を構成するケーシング２２及び環状ナット部材２３を有し、この環状ナット部材２３とケーシング２２とは分割可能に組み立てられている。図４は、グリップ１２の要部拡大斜視図であり、環状ナット部材２３がケーシング２２から取りはずされた状態が示されている。
【００１９】
図２ないし図４が示すように、リールシート部２１は、ケーシング２２と、ケーシング２２の前端部側に嵌め込まれたコア部材２５と、コア部材２５に嵌め込まれ且つ上記ケーシング２２の前端に設けられた環状ナット部材２３と、コア部材２５に螺合された固定ナット部材２６とを有する。
【００２０】
ケーシング２２は、例えばアルミニウム等の金属や樹脂により構成され、筒状に形成されている。ケーシング２２の上部には開口部２７が設けられており、釣用リールの脚部は、この開口部２７に挿入されるようになっている。開口部２７内には、シート部材２８（載置部）が配置されており、このシート部材２８上に釣用リールの脚部が載置されるようになっている。
【００２１】
ケーシング２２の前方には、フード収容部５９が形成されている。このフード収容部５９は、上記スライド案内機構５８の一部を構成する。フード収容部５９は、ケーシング２２と一体的に形成されており、後に詳述される可動フード４２がフード収容部５９内に収容されている。フード収容部５９の内壁面６０は、可動フード４２が固定フード４０に対して近接し離反する方向に延びており、当該内壁面６０の形状は、可動フード４２の外周面形状に対応されている。したがって、可動フード４２の外周面は、上記内壁面６０と隙間無く当接している。なお、可動フード４２の外周面と上記内壁面６０との間には可動フード４２が円滑にスライドするための微小な隙間が形成されていてもよい。
【００２２】
ケーシング２２の後方には、上記開口部２７の後端に連続して固定フード４０が形成されている。固定フード４０は、ケーシング２２の一部によって構成されており、内部に凹部が形成されている。釣用リールの脚部の後方側部分（脚部の一方）は、この凹部に収容され保持される。なお、固定フード４０の具体的形状は従来の固定フードと同様であるので、その詳しい説明は省略される。さらに、釣竿１０はベイトリールが装着されるタイプであるから、ケーシング２２の下部には、トリガ２９が一体的に形成されている。
【００２３】
図５は、グリップ１２の要部拡大分解斜視図であり、図４においてコア部材２５、環状ナット部材２３及び固定ナット部材２６が分解された状態が示されている。
コア部材２５は、全体として筒状に形成されており、内部に釣竿本体１１が挿通されるようになっている。コア部材２５は、螺合部３０、保持部３１及びスライド案内部３２を備えている。コア部材２５は、例えば樹脂により一体的に形成され得るが、アルミニウム等の金属により構成されていてもよい。
【００２４】
螺合部３０は、コア部材２５の先端部により構成され、外周面に雄ねじ３３が形成されている。この螺合部３０は、固定ナット部材２６が螺合するようになっている。保持部３１は、コア部材２５の中央部に設けられた嵌合凹部３４により構成されている。この嵌合凹部３４は、コア部材２５の中央部が外側から内側に向かって薄肉化されることによって構成されている。スライド案内部３２は、コア部材２５の後端部により構成されており、上記シート部材２８（図２参照）と突き合わせられるシート部３５と、シート部３５の下方に設けられた連結部３６とを有する。上記嵌合凹部３４が設けられることにより、当該嵌合凹部３４とシート部３５との境界部部に段部５６が形成されている。この段部５６は、上記スライド案内機構５８の一部を構成する。
【００２５】
シート部３５の上面は平坦面に形成されており、上記シート部材２８と共に釣用リールの脚部が載置される載置面を構成する。連結部３６は、コア部材２５が上記ケーシング２２及び環状ナット部材２３と確実に位置決め状態で連結することができるように、その形状が工夫されている。本実施形態では、連結部３６は、その両側面に凸条３７が突設されていると共に、その後端面に位置決めピン３８が突設されている。凸条３７は、環状ナット部材２３側と係合すると共に（図４参照）、ケーシング２２側と係合する（図２参照）。また、位置決めピン３８は、ケーシング２２の所定部に嵌め込まれるようになっており、これにより、コア部材２５がケーシング２２の所定位置に位置決めされる。
【００２６】
図４及び図５が示すように、シート部３５と連結部３６との境界部分には、案内溝３９が形成されている。この案内溝３９は、シート部３５の両側に設けられており、前後方向に沿って延びている。案内溝３９の内壁面は、左右方向（上記前後方向に直交する方向）内側に凹となる形状となっている。
【００２７】
コア部材２５は、スライド部材４１を備えている。スライド部材４１は、フード部４２と、これに連続して形成された嵌合片４３とを有する。このフード部４２は、上記可動フード４２を構成する。以下、フード部４２は、「可動フード４２」と称される。スライド部材４１は、コア部材２５の外周面に載置されている。具体的には、スライド部材４１は、コア部材２５の上記シート部３５が設けられた側（上記ケーシング２２の上記開口部２７が設けられた側）の外周面に当接されている。
【００２８】
可動フード４２は、後端に開口を有する凹部４４（図４参照）を備えており、この凹部４４に上記釣用リールの脚部の前方側部分が挿入され保持される。なお、この凹部４４の内壁面形状は、従来のものと同様であるので、その詳しい説明は省略される。また、可動フード４２の外周面は、図４が示すように円弧状に形成されている。前述のように、上記フード収容部５９の内壁面６０の形状は、可動フード４２の外周面形状に対応されて円弧状に形成されている。
【００２９】
この可動フード４２には、その両側面に係合凸部４５（図５参照）が設けられている。この係合凸部４５は、左右方向内側に突出するように形成されている。したがって、この係合凸部４５は、図５において矢印４６が示す方向（前後方向）に沿って案内溝３９に嵌め込まれる。これにより、可動フード４２は、案内溝３９に案内されて前後方向（すなわち、固定フード４０に対して近接し、離反する方向）に沿ってのみスライドすることができる。
【００３０】
嵌合片４３は、可動フード４２の下方側、すなわち可動フード４２の上記嵌合凹部３４側に設けられている。このため、スライド部材４１の可動フード４２と嵌合片４３との間には段部４７が形成されており、嵌合片４３は、可動フード４２から下方へ落ち込んでいる。嵌合片４３は、図５が示すように、円弧状に湾曲された平板からなる。嵌合片４３の曲率半径は、上記嵌合凹部３４の底面の曲率半径に対応されている。したがって、前述のように可動フード４２がシート部３５に嵌め込まれると、嵌合片４３は、コア部材２５の嵌合凹部３４に嵌め込まれ、可動フード４２のスライドに伴って嵌合凹部３４内を前後方向にスライドする。
【００３１】
嵌合片４３の中間部分には、段部６１が形成されている。この段部６１は、上記スライド案内機構５８の一部を構成する。この段部６１は、可動フード４２が固定フード４０側（矢印４６の方向）にスライドすることによって上記段部５６と当接し、可動フード４２の当該方向へのスライドを規制する。これにより、可動フード４２が最も固定フード４０側に近づいた場合であっても、可動フード４２は、上記フード収容部５９から突出することはない。すなわち、可動フード４２は、常時フード収容部５９内でスライドすることになる。さらに、嵌合片４３の外周面には、雄ねじ４８が形成されている。この雄ねじ４８は、環状ナット部２３と螺合している。
【００３２】
環状ナット部材２３は、操作ナット４９及び連結環５０を備えている。操作ナット４９は、図４及び図５が示すように環状に形成されており、その内周面に雌ねじ５７（図３参照）が形成されている。連結環５０は操作ナット４９の後方に配置されており、操作ナット４９は、連結環５０に対して回動自在に設けられている。なお、本実施形態では、連結環５０に対して操作ナット４９が滑らかに回転するために、連結環５０と操作ナット４９との境界部分にスライド板５１が介在されている。このスライド板５２は、例えば樹脂により構成される。連結環５０の内壁面形状は、上記コア部材２５のスライド案内部３２の外形面形状に対応されている。このため、図４が示すように、連結環５０は、コア部材２５に隙間なく嵌め込まれ、ケーシング２２の前端に取り付けられる（図２参照）。
【００３３】
このとき、操作ナット４９は、コア部材２５に設けられたスライド部材４１と螺合している。具体的には、操作ナット４９の雌ねじ５７がスライド部材４１の雄ねじ４８と螺合する。この状態で操作ナット４９が回転されると、スライド部材４１は、前後方向にスライドすることになる。すなわち、スライド部材４１が後方へスライドされたときは、可動フード４２が上記固定フード４０側へ移動し、上記釣用リールの脚部を挟持することができ、スライド部材４１が前方へスライドされたときは、可動フード４２が上記固定フード４０から離反する。なお、本実施形態では、操作ナット４９の外周面には前後方向に延びる細溝５２が複数形成されている。これら細溝５２は、釣人が操作ナット４９を操作する際の滑止として機能する。
【００３４】
固定ナット部材２６は、締付ナット５３及びロックナット５４を有する。締付ナット５３は、図４が示すように、コア部材２５の先端側から当該コア部材２５に嵌め込まれ、コア部材２５の雄ねじ３３と螺合している。締付ナット５３が締め付けられることによって、環状ナット部材２３が上記ケーシング２２に締結固定される。また、ロックナット５４も同様にコア部材２５の上記雄ねじ３３と螺合している。ロックナット５４が締め付けられることによって、締付ナット５３の緩みが防止される。
【００３５】
釣竿１０は、次のようにして組み立てられる。
釣竿本体１１がコア部材２５の内部に挿通され、コア部材２５によって支持される。釣竿本体１１は、ケーシング２２を貫いて肘当部２４まで挿通されていてもよい。コア部材２５にスライド部材４１が当接される。このとき、スライド板４１は、前述のように前方から後方側に向かってスライドされながらコア部材２５に嵌め込まれる。コア部材２５の先端側から環状ナット部材２３が嵌め込まれ、操作ナット４９がスライド部材４１と螺合する。
【００３６】
ケーシング２２がコア部材２５の後方から嵌め込まれる。これにより、コア部材２５がケーシング２２に位置決めされ、環状ナット部材２３の連結環５０がケーシング２２の前端面に当接する。締結ナット５３がコア部材２５の前方から嵌め込まれ、コア部材２５と螺合される。締結ナット５３が締め付けられた後、ロックナット５４がコア部材２５に掛けられ締め付けられる。なお、締結ナット５３と操作ナット４９との間及びロックナット５４と締結ナット５３との間に、それぞれスライド板５５が介在されていてもよい。
【００３７】
図３が示すように、操作ナット４９がスライド部材４１と螺合しているから、操作ナット４９が回転されることによって、可動フード４２が図中左右方向に移動する。すなわち、可動フード４２が固定フード４０に対して近接し離反する。したがって、釣用リールの脚部は、上記固定フード４０及び上記可動フード４２によって挟持され、グリップ１２に固定される。
【００３８】
図６は、図３の拡大図である。
釣用リールの取付作業について詳述される。
【００３９】
釣用リールの一方の脚部が固定フード４０に収容保持された状態で、釣用リールはシート部材２８上に載置される。その後、操作ナット４９が回転されることにより可動フード４２が固定フード４０側にスライドされ、釣用リールの他方の脚部が可動フード４２に収容保持される。これにより、釣用リールの両方の脚部が固定フード４０及び可動フード４２によって挟持固定される。
【００４０】
このとき、可動フード４２は、上記フード収容部５９、スライド部材４１に設けられた段部６１及びコア部材２５に設けられた段部５６により構成されるスライド案内機構５８によって案内されるから、可動フード４２は、フード収容部５９によって常時囲繞保持され、シート部材２８から離反する方向（同図では上方）への変位が確実に規制される。したがって、釣用リールの両方の脚部は、リールシート部２１から離れることなく、確実に強固に固定される。
【００４１】
特に、本実施形態では、可動フード４２が上記ケーシング２２と一体的に形成されたフード収容部５９によって常時囲繞保持される構造が採用されているので、スライド案内機構５８が簡単な構造で安価に構成されるという利点がある。
【００４２】
さらに、本実施形態では、スライド部材４１の嵌合片４３は、コア部材２５の嵌合凹部３４に嵌め込まれているから、コア部材２５の肉厚寸法とスライド部材４１の肉厚寸法との合計寸法は、従来のものよりも小さくなる。すなわち、スライド部材４１が取り付けられた状態でのコア部材２５の外径寸法が従来よりも小さくなる。したがって、コア部材２５に挿通される釣竿本体１１の外径寸法が従来のものと同様であっても、スライド部材４１と螺合する操作ナット４９の外径寸法が従来のものよりも小さくなる。その結果、環状ナット部材２３の外径寸法が小さくなり、グリップ１２が細径に形成され得る。
【００４３】
また、本実施形態では、スライド部材４１は、コア部材２５の前方から後方側に向かって簡単に嵌め込まれ、この状態で環状ナット部材２３及び固定ナット部材２６が取り付けられるので、グリップ１２の組立作業は容易である。スライド部材４１の嵌合片４３は、コア部材２５の嵌合凹部３４に嵌め込まれているから、スライド部材４１が図中右側へスライドされた場合には、図６が示すように、スライド部材４１の嵌合片４３は、コア部材２５の保持部３１とスライド案内部３２との境界部分に形成された段部５６に当接する。したがって、スライド部材４１は、グリップ１２が分解されない限りグリップ１２から外れることはない。
【００４４】
しかし、固定ナット部材２６は、コア部材２５と螺合しているのみであるから、コア部材２５から簡単に取り外される。固定ナット部材２６が取り外されることによって、環状ナット部材２３及びスライド部材４１も簡単に取り外されるので、グリップ１２の分解作業も容易である。したがって、例えば可動フード４２の周辺にゴミ等が付着した場合には、グリップ１２が分解されることによってスライド部材４１が取り外されるので、リールシート部２１の清掃等のメンテナンスが容易であるという利点がある。
【００４５】
加えて、本実施形態では、スライド部材４１がコア部材２５にスライド自在に係合するのであるが、スライド部材４１に突設された係合凸部４５（図５参照）がコア部材２５に形成された案内溝３９に嵌め込まれている。すなわち、スライド部材４１がコア部材２５のシート部３５を抱えるように係合するので、スライド部材４１は、シート部３５に対して位置ずれを起こすことなく円滑にスライドする。したがって、釣用リールの脚部は、可動フード４２及び固定フード４０によって、なお一層確実に挟持され得るという利点もある。
【００４６】
次に、本実施形態の変形例について説明される。
図７は、本実施形態の変形例に係る釣竿７０の要部拡大斜視図である。
本変形例に係る釣竿７０が上記実施形態に係る釣竿１０と異なるところは、フード収容部５９にスリット７１（確認窓部）が設けられている点である。なお、その他の構成については上記実施形態と同様である。
【００４７】
このスリット７１は、上記フード収容部５９を上下方向に貫通しており、当該フード収容部５９の縁部から前方に向かって延びている。このスリット７１が設けられることにより、釣人は、可動フード４２の位置を確認することができる。具体的には、可動フード４２がフード収容部５９に常時収容されているので、釣人はスライドする可動フード４２の位置を直接確認することが容易でない。しかし、スリット７１が設けられることによって、釣人は、フード収容部５９内の可動フード４２を目視することができ、その位置を容易に確認することができる。これにより、釣人は、釣用リールの着脱作業を簡単且つ迅速に行うことができる。
【００４８】
なお、本変形例では、スリット７１は、フード収容部５９の縁部から前方に形成されているが、スリット７１がフード収容部５９の縁部まで至らない形状（例えば、細長の貫通孔）であってもよい。これにより、フード収容部５９の剛性の低下が抑制される。また、スリット７１が設けられているのは、前述のように、釣人が可動フード４２の位置を直接確認するためであるから、当該目的を達成するためには、スリット７１に代えて小孔がフード収容部５９に貫通形成される等、種々の手段が採用され得る。
【産業上の利用可能性】
【００４９】
本発明は、釣用リールが装着されるタイプの釣竿に適用され得る。
【図面の簡単な説明】
【００５０】
【図１】図１は、本発明の一実施形態に係る釣竿の正面図である。
【図２】図２は、本発明の一実施形態に係る釣竿の拡大斜視図である。
【図３】図３は、本発明の一実施形態に係る釣竿の要部拡大断面図である。
【図４】図４は、本発明の一実施形態に係る釣竿のグリップの要部拡大斜視図である。
【図５】図５は、本発明の一実施形態に係る釣竿のグリップの要部拡大分解斜視図である。
【図６】図６は、図３の拡大図である。
【図７】図７は、本発明の一実施形態の変形例に係る釣竿の要部拡大斜視図である。
【図８】図８は、従来のルアー用の釣竿の構造が模式的に示された図である。
【符号の説明】
【００５１】
１０・・・釣竿
１１・・・釣竿本体
１２・・・グリップ
２１・・・リールシート部
２２・・・ケーシング
２３・・・環状ナット部材
２５・・・コア部材
２６・・・固定ナット部材
２７・・・開口部
２８・・・シート部材
３０・・・螺合部
３１・・・保持部
３２・・・スライド案内部
３３・・・雄ねじ
３４・・・嵌合凹部
３５・・・シート部
３６・・・連結部
３７・・・凸条
３８・・・位置決めピン
３９・・・案内溝
４０・・・固定フード
４１・・・スライド部材
４２・・・フード部
４３・・・嵌合片
４４・・・凹部
４５・・・係合凸部
４７・・・段部
４８・・・雄ねじ
４９・・・操作ナット
５０・・・連結環
５１・・・スライド板
５３・・・締結ナット
５４・・・ロックナット
５６・・・段部
５７・・・雌ねじ
５８・・・スライド案内機構
５９・・・フード収容部
６０・・・内壁面
６１・・・段部
【図１】
2005210921.tif 000003
【図２】
2005210921.tif 000004
【図３】
2005210921.tif 000005
【図４】
2005210921.tif 000006
【図５】
2005210921.tif 000007
【図６】
2005210921.tif 000008
【図７】
2005210921.tif 000009
【図８】
2005210921.tif 000010